(57)【特許請求の範囲】
【請求項１】
原稿を搬送する搬送手段と、前記搬送手段によって所定速度で搬送されている原稿の上面の画像を読み取る画像読取手段と、前記搬送手段と前記画像読取手段とを有する原稿給送部と、前記搬送手段によって搬送される原稿の搬送路の上側にあって、前記画像読取手段の画像読取位置の開口部を閉鎖する透光性板材と、を有し、前記画像読取手段が前記原稿給送部に対して開かれた位置と閉じられた位置とに移動可能である画像読取装置において、
前記画像読取手段が閉じられた位置では、前記透光性板材が前記画像読取手段に対して開放不可能であり、前記画像読取手段が開かれた位置では、前記透光性板材が前記画像読取手段に保持された状態で前記画像読取手段に対して開放可能であり、且つ、前記透光性板材が開放されると前記透光性板材の原稿対向面とは反対側の面が露出することを特徴とする画像読取装置。
【請求項２】
前記画像読取手段の画像読取位置の開口部を閉鎖する位置から前記透光性板材を開放するための操作部を有し、前記画像読取手段が閉じられた位置では前記操作部と係合することにより前記画像読取手段の画像読取位置の開口部を閉鎖する位置に前記透光性板材を保持する保持手段が前記透光性板材に設けられていることを特徴とする請求項１記載の画像読取装置。
【請求項３】
前記原稿給送部が、前記透光性板材と当接し、前記透光性板材を閉鎖位置まで案内する案内手段を有し、前記画像読取手段が前記原稿給送部に対して開かれた位置から閉じられた位置へと移動されるとき、前記透光性板材が前記案内手段の上をすべりながら閉鎖位置まで案内されることを特徴とする請求項１記載の画像読取装置。
【請求項４】
前記画像読取手段が前記原稿給送部に対して閉じられた位置では、前記操作部が前記原稿給送部の内部にあることを特徴とする請求項２記載の画像読取装置。
【請求項５】
原稿が載置される原稿台と、前記原稿台上に載置された原稿に沿って移動しながら前記原稿の上面の画像を読み取る画像読取手段と、前記画像読取手段の画像読取位置の開口部を閉鎖し、前記原稿台上に載置された原稿の上面側を移動する透光性板材と、を有する画像読取装置において、
前記画像読取手段が当該画像読取装置に対して開かれた位置と閉じられた位置とに移動可能になっており、前記画像読取手段が閉じられた位置では、前記透光性板材が前記画像読取手段に対して開放不可能であり、前記画像読取手段が開かれた位置では、前記透光性板材が前記画像読取手段に保持された状態で前記画像読取手段に対して開放可能であり、且つ、前記透光性板材が開放されると前記透光性板材の原稿対向面とは反対側の面が露出することを特徴とする画像読取装置。
【発明の詳細な説明】
【０００１】
【発明の属する技術分野】
本発明は、画像を読み取る画像読取装置に関する。
【０００２】
【従来の技術】
従来、画像読取装置に採用されている原稿上の画像を読み取るための方式として、以下の２つの方式が良く知られている。
【０００３】
先ず、第１の方式は、原稿台上に原稿を所定の方法でセットし、原稿台ガラス上に固定された原稿を移動可能な光学キャリッジによってスキャンすることによって、原稿上の画像を画像読み取り部にて読み取る原稿固定読み取り方式である。
【０００４】
又、第２の方式は、原稿を所定の搬送スピードで搬送し、固定の光学キャリッジ部を配置した所定の読み取り部にて読み取る原稿流し読み取り方式である。
【０００５】
後者の原稿流し読み取り方式は、前者の原稿固定読み取り方式に比較して光学キャリッジを固定することができ、光学キャリッジを毎回往復移動させる必要がないため、装置構成が複雑とならず、又、処理の高速化という点で前者の原稿固定読み取り方式に比べて優位性がある。
【０００６】
ところで、複写機等においては、近年のデジタル処理技術の進歩に伴い、同一原稿から複数枚のコピーを形成する場合でも、原稿の読み取りは１回で済むようになった。つまり、一度読み取った画像情報をコンピュータ等の記憶媒体にデジタル情報として一時保存することにより、この記憶された画像情報に基づいて必要な枚数の複写画像を再形成することが容易になった。この点でも、流し読み取り方式による画像読み取りの優位性は一層大きくなってきた。
【０００７】
又、原稿がその表裏面に画像を含む場合、それら両面の画像を読み取るに当たって操作の便宜や高速化を図るという観点から、原稿の搬送経路に沿って対向して２基の光学キャリッジを設け、各光学キャリッジによって原稿のそれぞれの面に含まれる画像を読み取るよう構成された読取装置もある。このような読取装置の構成によれば、所定の経路に沿って搬送される原稿の表裏に含まれる画像をほぼ同時に流し読むことができるようになるため、原稿の両面複写における読み取り処理の高速化が図られる。
【０００８】
【発明が解決しようとする課題】
しかしながら、上記原稿流し読み取り方式を採用する従来の画像読取装置では、原稿の読み取り位置が常に一定であるため、読み取り部にゴミが付着していると画像の読み取り中に常にゴミを読み取ることになってしまい、読み取った画像全体にスジとして現れてしまう。
【０００９】
一般的に、読み取り部は移動中の原稿の搬送面となるため、ガラス等の透明部材（透光性板材）で塞いで原稿が光学系内部に入り込んでしまうのを防いでいるが、前記理由から、原稿移動方式の画像読取装置では読み取り面を定期的に清掃する必要がある。
【００１０】
読み取り面の原稿搬送路側である外側は外部に露出しているために簡単に清掃が可能であるが、読み取り面の原稿搬送路と反対側の内部に付着したゴミを除去するためには、装置を分解するか、透明部材の内側にアクセスできる機構を備える必要がある。
【００１１】
特に、原稿の両面を読み取るために原稿搬送路の上下に対向して光学系（読み取り部）を有する画像読取装置の場合、原稿搬送路の上側の光学系では、読み取り部のガラスの内側に光学系内部のゴミが溜ってしまう可能性が大きく、ガラス内面の汚れがより深刻なものとなっている。
【００１２】
本発明は上記問題に鑑みてなされたもので、その目的とする処は、透光性板材の原稿搬送側と反対側の裏面を簡単に清掃することができ、透光性板材に付着した内部のゴミによる画像の悪化を防ぐとともに、装置の破損や原稿へのダメージの発生を防ぐことができる画像読取装置を提供することにある。
【００１３】
【課題を解決するための手段】
上記目的を達成するため、請求項１記載の発明は、原稿を搬送する搬送手段と、前記搬送手段によって所定速度で搬送されている原稿の上面の画像を読み取る画像読取手段と、前記搬送手段と前記画像読取手段とを有する原稿給送部と、前記搬送手段によって搬送される原稿の搬送路の上側にあって、前記画像読取手段の画像読取位置の開口部を閉鎖する透光性板材と、を有し、前記画像読取手段が前記原稿給送部に対して開かれた位置と閉じられた位置とに移動可能である画像読取装置において、
前記画像読取手段が閉じられた位置では、前記透光性板材が前記画像読取手段に対して開放不可能であり、前記画像読取手段が開かれた位置では、前記透光性板材が前記画像読取手段に保持された状態で前記画像読取手段に対して開放可能であり、且つ、前記透光性板材が開放されると前記透光性板材の原稿対向面とは反対側の面が露出することを特徴とする。
【００１４】
請求項２記載の発明は、請求項１記載の発明において、前記画像読取手段の画像読取位置の開口部を閉鎖する位置から前記透光性板材を開放するための操作部を有し、前記画像読取手段が閉じられた位置では前記操作部と係合することにより前記画像読取手段の画像読取位置の開口部を閉鎖する位置に前記透光性板材を保持する保持手段が前記透光性板材に設けられていることを特徴とする。
【００１５】
請求項３記載の発明は、請求項１記載の発明において、前記原稿給送部が、前記透光性板材と当接し、前記透光性板材を閉鎖位置まで案内する案内手段を有し、前記画像読取手段が前記原稿給送部に対して開かれた位置から閉じられた位置へと移動されるとき、前記透光性板材が前記案内手段の上をすべりながら閉鎖位置まで案内されることを特徴とする
【００１６】
請求項４記載の発明は、請求項２記載の発明において、前記画像読取手段が前記原稿給送部に対して閉じられた位置では、前記操作部が前記原稿給送部の内部にあることを特徴とする。
【００１７】
請求項５記載の発明は、原稿が載置される原稿台と、前記原稿台上に載置された原稿に沿って移動しながら前記原稿の上面の画像を読み取る画像読取手段と、前記画像読取手段の画像読取位置の開口部を閉鎖し、前記原稿台上に載置された原稿の上面側を移動する透光性板材と、を有する画像読取装置において、
前記画像読取手段が当該画像読取装置に対して開かれた位置と閉じられた位置とに移動可能になっており、前記画像読取手段が閉じられた位置では、前記透光性板材が前記画像読取手段に対して開放不可能であり、前記画像読取手段が開かれた位置では、前記透光性板材が前記画像読取手段に保持された状態で前記画像読取手段に対して開放可能であり、且つ、前記透光性板材が開放されると前記透光性板材の原稿対向面とは反対側の面が露出することを特徴とする。
【００１９】
【発明の実施の形態】
以下に本発明の実施の形態を添付図面に基づいて説明する。但し、以下の実施の形態に記載されている構成部品の寸法、材質、形状、相対配置等は、特に特定的な記載がない限りは、本発明の範囲をそれらのみに限定する趣旨のものではない。
【００２０】
＜実施の形態１＞
図１は本発明の実施の形態１に係る画像読取装置の構成を概略的に示す側断面図、図２は同画像読取装置の原稿搬送部の拡大側断面図である。
【００２１】
図１及び図２に示すように、画像読取装置は、原稿を載置固定してその表面画像を読み取るフラットベッド（ＦＢ）画像読み取り部（以下、ＦＢ部と称する）１と、該ＦＢ部１の上面に取り付けられた自動給送装置（以下、ＡＤＦ部と称する）２とを備えて構成され、ＦＢ部１の一部とＡＤＦ部２の一部とが複合して流し読み取り部を構成している。
【００２２】
ＦＢ部１は、載置固定された原稿の表面画像を読み取る機構であり、その上面に原稿を載置する基準原稿台ガラス３を備えるとともに、該原稿台ガラス３の下部には、原稿の読み取りを行うための第１の画像読取手段である第１の光学キャリッジＡを備えている。
【００２３】
上記第１の光学キャリッジＡは無端の駆動ベルト５に連結され、この駆動ベルト５は駆動モータ６に連結されている。駆動モータ６の動力が駆動ベルト５を介して第１の光学キャリッジＡに伝達されることにより、該第１の光学キャリッジＡは原稿台ガラス３と平行に移動する。
【００２４】
ここで、第１の光学キャリッジＡは、原稿台ガラス３上に載置固定された原稿の画像を読み取る機能と、搬送されつつある原稿の画像を定位置に止まって読み取る機能（流し読み取り機能）とを兼ね備えている。
【００２５】
又、第１の光学キャリッジＡの上面に配置されたランプ７は、原稿に光を照射するための光源であり、原稿より反射した反射光は、反射ミラー８と集光レンズ１０とによってＣＣＤ９に導かれる。ここで、ＣＣＤ９は、入射した光を電気信号に変換する周知の光電変換素子である。又、原稿台ガラス３上には原稿突き当て基準板１１が設けられている。
【００２６】
一方、前記ＡＤＦ部２は、その上部に原稿を載置積載するための原稿積載トレイ１３を備えており、この原稿積載トレイ１３上の原稿は、搬送（給送）方向の両側部を原稿サイド規制板１２によって規制される。又、周知の原稿有無センサ１５は、そのレバー山により原稿の先端を検知することによって当該原稿の存在を認識する。更に、原稿の長さは周知の原稿長さ検知レバー１４によって検知される。
【００２７】
又、原稿積載トレイ１３から送り出される原稿の先端を上方から押さえるためのウェイト１６や、原稿の先端が分離給送部に入り込むのを防ぐための原稿シャッター１７が設けられている。
【００２８】
ピックアップローラ１８は、積載原稿を最下位のものから順次繰り出す機能を有し、該ピックアップローラ１８によって繰り出された原稿は、下流の給送ローラ２０により流し読み取り部へと搬送されていく。
【００２９】
又、原稿の搬送経路を挟んで給送ローラ２０と対向する位置に設けられた分離ベルト１９は、給送ローラ２０の回転方向とは反対方向に回転駆動され、原稿が１枚ずつ確実に送り出されるよう重なった原稿を分離する。
【００３０】
レジスト前センサレバー２１は、原稿の先端を検知して原稿のループ形成のタイミングを計る。レジストローラ対２２は、搬送されてきた原稿を所定のタイミングで第１の光学キャリッジＡへ送り出す。原稿先端検知レバー２３は、レジストローラ対２２によって送り出された原稿の先端を検知する。
【００３１】
原稿搬送上ガイド２４は、原稿台ガラス３と対向して設けられ、原稿を第１の読み取り部位２５に案内する。第１の読み取り部位２５は、原稿台ガラス３と原稿搬送上ガイド２４との間に設けられた所定の間隙である。原稿表面（第１面（下面））に含まれる画像は、当該原稿が第１の読み取り部位２５を通過する際、定位置に止まっている第１の光学キャリッジＡによって読み取られる。
【００３２】
第２の画像読取手段である第２の光学キャリッジＢは、これを保持するＡＤＦ部２内において第１の光学キャリッジＡと原稿台ガラス３を挟んで対向した位置に配置されている。尚、第２の光学キャリッジＢ内には前記第１の光学キャリッジＡと同様の反射ミラー及びＣＣＤが配置されている。
【００３３】
このように、第１の光学キャリッジＡとほぼ同様の構成を備えた第２の光学キャリッジＢは、原稿の他方の面（第２面）に含まれる画像を第２の読み取り部位２７にて読み取る。ここで、第２の読み取り部位２７は、原稿台ガラス３に沿った原稿の搬送経路上において第１の読み取り部位２５よりやや下流側に設定されている。そして、読み取り部位２７には透光性板材であるガラス３１が取り付けられており、このガラス３１は原稿の搬送ガイドであると同時に、光学キャリッジＢ内部に原稿が入り込むのを防いでいる。
【００３４】
上記第１及び第２の読み取り部位２５，２７を通過した後の原稿は、排出ローラ対２８によりＦＢ部１の機外に排出される。ここで、ＦＢ部１の側面には、排出ローラ対２８によって排出された原稿を積載するための排出積載トレイ３３が設けられている。
【００３５】
図３に示すように、第２の光学キャリッジＢは、フック２９を開放することによって軸３０を中心にしてＡＤＦ部２に対して回動可能である。これによって、原稿の搬送路が上下に分割され、ジャム処理等の作業が可能になる。又、第２の光学キャリッジＢは、画像読取装置に備えられた不図示のインターロックスイッチを動作させるアクチュエータを有し、光学キャリッジＢが開かれることによって装置の電源が遮断され、画像読取装置が動作しないようになっている。そして、光学キャリッジＢが開かれた状態においては、図４に示すように、ガラス３１は、回動軸３２を中心に回動可能であり、光学キャリッジＢに対して開閉可能である。
【００３６】
図５は第２の光学キャリッジＢの読み取りガラス３１近傍の斜視図であり、図５（ａ）はガラス３１上面の光学キャリッジＢ内部、図５（ｂ）はＡＤＦ部２を下から見た図である。
【００３７】
第２の光学キャリッジＢには、図５に示すように操作部であるロックスライダ３４が設けられており、このロックスライダ３４はバネ３５によってガラス３１の方向に付勢され、矢印ａ及びｂ方向にスライド可能である。ガラス３１の片方の端部には、ロックスライダ３４に引っ掛かる保持手段である突起部３６が設けられており、ガラス３１を閉じた状態ではロックスライダ３４によってガラス３１が閉じた状態で保持され、ロックスライダ３４を矢印ｂ方向にスライドさせることによってガラス３１の規制が解除され、ガラス３１を光学キャリッジＢに対して開くことができる。ガラス３１を開いた状態では、ロックスライダ３４はバネ３５によって矢印ａ方向に付勢されている。
【００３８】
ガラス３１を閉じると、該ガラス３１の突起部３６の斜面がロックスライダ３４を矢印ｂ方向にスライドさせるため、ロックスライダ３４を操作しなくてもガラス３１を閉じた位置に保持させることが可能である。
【００３９】
又、ガラス３１の他端部には、ガラス３１の動作を案内するアーム３７が設けられている。第２の光学キャリッジＢが閉じた状態においては、図５に示すように、アーム３７が画像読取装置の内側にあることによって、ロックスライダ３４をスライドさせてもガラス３１を開くことは不可能である。光学キャリッジＢを開くとガラス３１を開くことが可能になるが、ガラス３１を開いた状態のまま光学キャリッジＢを閉じていくと、アーム３７が画像読取装置に設けられた案内部３８に沿うことによってガラス３１が閉じられていき、光学キャリッジＢが完全に閉じると、ガラス３１が自動的にロックスライダ３４によって閉じた状態に保持される。
【００４０】
尚、ガラス３１は画像読取位置のみ透光性部材であれば良いため、突起部３６及びアーム３７はガラス３１と一体に成形された別材料又はガラス３１に固定された別部品であっても良い。
【００４１】
ところで、本実施の形態では、光学ユニットＢが開閉することによってガラス３１の開閉を規制したが、逆に光学ユニットＢに対して開閉可能なカバー等の部品やユニットが開閉することによってアーム３７が開放され、ガラス３１の開閉が可能になるように構成してもても良い。
【００４２】
前記構成における動作を以下に説明する。
【００４３】
（原稿固定読み取り方式）
ＦＢ部１での画像読み取りの場合には、ＡＤＦ部２を開放して原稿を原稿台ガラス３上に置き、原稿位置を原稿突き当て基準板１１に突き当てて原稿をセットする。
【００４４】
次に、ＡＤＦ部２を閉じることによって、原稿は圧板４によって原稿台ガラス３に押圧固定される。これによって、原稿は、そのカール等が矯正されるとともに、原稿台ガラス３上に密着される。
【００４５】
その後、操作者が不図示の操作盤に備えられた原稿読み取り開始ボタンを押すことにより、原稿の読み取りが開始される。
【００４６】
先ず、駆動モータ６による動力の供給により駆動ベルト５が動作を開始し、これに伴い第１の光学キャリッジＡが所定の初期位置へ移動する。第１の光学キャリッジＡは、初期位置から原稿読み取り位置まで移動しつつ所定の速度に達するまで加速される。
【００４７】
第１の光学キャリッジＡは、所定の速度に達した後は、その速度を保持しながら、原稿突き当て基準板１１に突き当てられた原稿の先端位置まで到達する。その後も、第１の光学キャリッジＡは、所定速度を保ちながら移動し、原稿を読み取っていく。
【００４８】
第１の光学キャリッジＡは、原稿の全面を読み取った後、駆動モータ６の反転駆動により読み取り方向とは逆方向に反転して所定の待機位置に戻る。
【００４９】
（原稿流し読み取り方式）
次に、流し読み取り方式の場合について説明する。
【００５０】
流し読み取りの場合には、原稿をＡＤＦ部２の原稿積載トレイ１３上に積載する。ＡＤＦ部２は、原稿が原稿積載トレイ１３上に置かれたことを原稿長さ検知レバー１４と原稿有無センサ１５により知ることができる。又、操作者が原稿サイド規制板１２により原稿の幅を設定したことによって、原稿長さ検知レバー１４との検知の組み合わせによって原稿のサイズを知ることができる。
【００５１】
上記状態にて操作者が不図示の原稿読み取り開始ボタンを押すと、原稿先端を規制していた原稿シャッター１７が開放され、ウェイト１６とピックアップローラ１８によって原稿の分離部へ原稿束を搬送する。次に、原稿は分離ベルト１９と給送ローラ２０によって１枚ずつ分離給送される。
【００５２】
而して、原稿の先端がレジストローラ対２２に到達し、レジスト前センサレバー２１によって所定のループを形成した後、給送ローラ２０の回転を停止する。所定のタイミングの後、レジストローラ対２２が回転を開始して原稿を搬送する。そして、搬送された原稿の先端は、原稿先端検知レバー２３によって検知され、原稿が原稿読み取り位置に到達する時間を決定する。
【００５３】
原稿は、原稿搬送上ガイド２４によって第１の原稿読み取り部位２５に案内され、第１の読み取り部位２５において、原稿が所定の搬送スピードで搬送されながら、第１の光学キャリッジＡによって原稿の片面の画像が順次読み取られていく。
【００５４】
又、原稿は、第２の読み取り部位２７に到達し、所定のスピードで搬送されながら、第２の光学キャリッジＢの読み取り部にて他面の画像が順次読み取られていく。
【００５５】
原稿は、その先端が第２の読み取り部位２７を通過した後、排出ローラ対２８によって搬送され、その全ての画像が読み取られた後に排出積載トレイ３３上に排出される。
【００５６】
以上が、第１及び第２の光学キャリッジＡ，Ｂによる原稿の両面読み取りに関する一連の動作態様である。
【００５７】
而して、本実施の形態においては、次のような特徴がある。
【００５８】
図４はガラス３１が光学キャリッジＢに対して開いた状態を示す断面図であり、同図に示すように、ガラス３１を開いた状態において、ガラス３１の内側の面（原稿搬送側と反対側の面）にユーザがアクセスすることができるようになり、ガラス３１の内側にゴミ等が溜った場合でもガラス３１の内側を清掃することが可能になる。
【００５９】
又、図６に示すように、光学キャリッジＢを開き、更にガラス３１も開いた状態からガラス３１を開いたまま光学キャリッジＢを閉じていくと、アーム３７が案内部３８に当接することによって次第に閉じられていき、光学キャリッジＢが完全に閉じるときにガラス３１の突起部３６がロックスライダ３４を図５の矢印ｂ方向に移動させ、ガラス３１が完全に閉じた位置まで来るとバネ３５によってロックスライダ３４が矢印ａ方向に移動し、ガラス３１を閉じた位置に保持する。これによってガラス３１が開いたまま光学キャリッジＢを閉じても、ガラス３１の破損を防止することができる。
【００６０】
又、光学キャリッジＢが開いた状態では、不図示のインターロックスイッチが切断され、装置の動作は不可能になる。即ち、光学キャリッジＢが閉じて装置が動作できる状態においては、必ずガラス３１は閉じた状態になる。これによって、ガラス３１を開けるときは必ず装置の動作が止まった状態となり、ガラス３１の内側の清掃中に点灯しているランプ７に触ることがなく、ガラス３１が開いた状態で装置を動作させて原稿にダメージを与えたりするのを防止することができる。
【００６１】
以上説明した本実施の形態に係る画像読取装置によれば、読み取り面のガラス３１を光学系のフレームである原稿搬送上ガイド２４に対して開閉可能に構成することによって、読み取り窓の内側であるガラス３１の内側の面Ｃの清掃を簡単に行うことができ、ガラス３１の内側の面に付着した内部のゴミによる画像の悪化を防ぐことができる。
【００６２】
又、ガラス３１が光学キャリッジＢを開けた状態でしか開かないことによって、ガラス３１が開いた状態で装置が動作されて装置が破損したり、原稿にダメージを与えるのを防ぐことができる。そして、ガラス３１が開いた状態のまま光学キャリッジＢが閉じられた場合にガラス３１が自動的に閉じられることによって、装置の破損を防止することができる。
【００６３】
＜実施の形態２＞
次に、本発明の実施の形態２について説明する。
【００６４】
図７は本発明の実施の形態２に係る画像読取装置の部分斜視図であり、図５（ｂ）と同様に第２の光学キャリッジＢのガラス３１近傍をＡＤＦ部２の下から見た図である。
【００６５】
前記実施の形態１とほぼ同様の構成の画像読取装置において、図７に示すように、光学キャリッジＢが閉じた状態ではロックスライダ３４が装置内部にあって外部から操作できない状態にある。即ち、光学キャリッジＢを開けることによって初めてロックスライダ３４が外部に露出し、ガラス３１の保持を外すことが可能になる。
【００６６】
実施の形態１においては、原稿台上に原稿を載置するためにＡＤＦ部２を開放すると、ロックスライダ３４が外部に露出する。しかし、ロックスライダ３４を操作してもアーム３７によってガラス３１が開かれないようになっている。一方で、本実施の形態２においては、ＡＤＦ部２を開放してもロックスライダ３４が外部に露出しない構成となっているため、操作時の混乱を防ぐことができる。
【００６７】
＜実施の形態３＞
次に、本発明の実施の形態３について説明する。
【００６８】
図８は本発明の実施の形態３に係る画像読取装置の側断面図であり、同図に示すように、ＦＢ部１の上部に、原稿台ガラス３に載置された原稿の上面を読み取るためのもう１つの固定原稿読取部４０を設け、原稿の上側にある第２の光学キャリッジＣが原稿の上面に沿って移動しながら原稿の上面の画像を読み取る。
【００６９】
前記実施の形態１，２に係る画像読取装置では、原稿の上面を読み取るために固定された光学キャリッジＢに対して原稿を所定速度で移動させながら画像を読み取ることによって画像の読み取りを行っていたが、原稿の上面に対しても固定原稿読取方式による原稿読取を行うことが可能である。このような構成の画像読取装置において、実施の形態１と同様に光学キャリッジＣの読取位置にあるガラス４１内部を清掃するためにガラス４１が光学キャリッジＣに対して開閉可能であり、光学キャリッジＣを開いた状態でのみガラス４１が開閉可能であることによって実施の形態１と同様の効果を得ることができる。
【００７０】
尚、上記実施の形態では、画像読取装置について説明したが、この画像読取装置を画像読取部として有し、該画像読取部で読み取った原稿の画像をシートに画像形成する画像形成装置に本発明を適用することができる。画像形成装置としては、例えば感光ドラム上に画像情報に応じて露光が行われ、静電潜像がトナーによって現像され、トナー像がシートに転写される電子写真方式や、読み取った画像に応じてインクを吐出するインクジェット方式等のものがあり、この画像読取装置を画像読取部として有するものであれば良い。
【００７２】
【発明の効果】
以上の説明で明らかなように、本発明によれば、透光性板材を画像読取手段を保持するフレームに対して開閉可能に構成することによって、透光性板材の原稿搬送側と反対側の裏面を簡単に清掃することができ、透光性板材に付着した内部のゴミによる画像の悪化を防ぐことができるとともに、透光性板材が開いたままで装置が動作するようにすることによって装置の破損や原稿へのダメージの発生を防ぐことができるという効果が得られる。
【図面の簡単な説明】
【図１】  本発明の実施の形態１に係る画像読取装置の側断面図である。
【図２】  本発明の実施の形態１に係る画像読取装置の原稿搬送部の拡大側断面図である。
【図３】  本発明の実施の形態１に係る画像読取装置の側断面図である。
【図４】  本発明の実施の形態１に係る画像読取装置の部分側断面図である。
【図５】  本発明の実施の形態１に係る画像読取装置要部の斜視図である。
【図６】  本発明の実施の形態１に係る画像読取装置の部分側断面図である。
【図７】  本発明の実施の形態２に係る画像読取装置要部の斜視図である。
【図８】  本発明の実施の形態３に係る画像読取装置の側断面図である。
【符号の説明】
１      フラットベッド画像読み取り部（ＦＤ部）
２      自動給送装置（ＡＤＦ部）
３    原稿台ガラス（原稿台）
２４    原稿搬送上ガイド
３１    ガラス（透光性板材）
３２    回動軸
３４    ロックスライダ（操作部）
３６ 突起部（透光性板材保持手段）
３７    アーム
３８    案内部（案内手段）
４０    固定原稿読取部
４１    ガラス（透光性板材）
Ａ      第１の光学キャリッジ
Ｂ      第２の光学キャリッジ（画像読取手段）
Ｃ    光学キャリッジ
【図１】
0003826027.tif 000002
【図２】
0003826027.tif 000003
【図３】
0003826027.tif 000004
【図４】
0003826027.tif 000005
【図５】
0003826027.tif 000006
【図６】
0003826027.tif 000007
【図７】
0003826027.tif 000008
【図８】
0003826027.tif 000009